(57)【要約】【課題】  有機電界発光表示装置の有機発光ダイオード素子の劣化を減少させる。  【解決手段】有機発光ダイオード40の陽極に接続されたデータ電圧源Ｖdataと、陰極に接続された第1スキャン電圧源Vin1および第2スキャン電圧源Vin２を備える。データ電圧源Ｖdataは、データラインDL１〜DLmに正極性電圧を印加し、第1および第2スキャン電圧源Vin1〜Vin2は、スキャンラインSL1〜SLnに負極性電圧および正極性電圧を印加する。データスイッチ素子41、第1および第2スイッチ素子42，43、並列に接続されるキャパシターCを備え、キャパシターCは、スキャンラインSL1〜SLnに印加されるスキャンパルスSCANが負極性から正極性にスイッチングされるとき、有機発光ダイオード40の陽極から陰極に印加される電圧を短時間に充電することにより、オーバーシュート現象を減少させる。【選択図】  図６
2006106666.tif 000002
【特許請求の範囲】
【請求項１】
有機発光ダイオードと、該有機発光ダイオードの陽極にテータ信号を供給するためのデータ供給素子と、第1電圧を発生する第1電圧源と、前記第１電圧より高い第２電圧を発生する第２電圧源と、前記有機発光ダイオードの陰極に印加される前記第２電圧を安定化させるための電圧安定化素子と、前記第1および第２電圧を前記有機発光ダイオードの陰極に選択的に供給する第１および第２スイッチ素子を備えることを特徴とする有機電界発光表示装置の駆動装置。
【請求項２】
前記第1電圧は、接地電圧であることを特徴とする請求項1記載の有機電界発光表示装置の駆動装置。
【請求項３】
前記電圧安定化素子は、ツェナーダイオードであり、該ツェナーダイオードは、前記第２電圧源と前記有機発光ダイオードの陰極との間に、直列に接続されることを特徴とする請求項1記載の有機電界発光表示素子の駆動装置。
【請求項４】
前記ツェナーダイオードの降伏電圧は、前記有機発光ダイオードの閾電圧より小さいことを特徴とする請求項３記載の有機電界発光表示素子の駆動装置。
【請求項５】
前記有機発光ダイオードの陰極に印加される電圧は、前記第２電圧源から印加される電圧と前記ツェナーダイオードの降伏電圧との差であることを特徴とする請求項３記載の有機電界発光表示素子の駆動装置。
【請求項６】
前記電圧安定化素子はキャパシターであり、該キャパシターは、前記第２電圧源と前記有機発光ダイオードの陰極との間に、並列に接続されることを特徴とする請求項1記載の有機電界発光表示素子の駆動装置。
【請求項７】
前記有機発光ダイオードの陰極に印加される電圧は、前記有機発光ダイオードの陽極に印加される電圧と同一レベルの電圧であることを特徴とする請求項６記載の有機電界発光表示素子の駆動装置。
【請求項８】
前記電圧安定化素子はツェナーダイオードとキャパシターであり、前記ツェナーダイオードは前記第２電圧源と前記有機発光ダイオードの陰極との間に直列に接続され、前記キャパシターは前記ツェナーダイオードと前記有機発光ダイオードの陰極との間に並列に接続されることを特徴とする請求項１記載の有機電界発光表示素子の駆動装置。
【発明の詳細な説明】
【技術分野】
【０００１】
本発明は有機電界発光表示装置（有機エレクトロルミネッセンスディスプレイ：ＥＬＤ）に関し、特に、有機電界発光表示装置の有機発光ダイオードの劣化を減少させることができる有機電界発光表示装置の駆動装置に関する。
【背景技術】
【０００２】
最近、陰極線管の短所である重さと嵩を減らすことができる各種の平板型表示装置（フラットパネルディスプレィ）が開発されている。平板型表示装置としては液晶表示装置(Liquid  Crystal  Display：以下“LCD”という)、電界放出型表示装置(Field  Emission  Display：以下“FED”という)、プラズマディスプレイパネル(Plasma  Display  Panel：以下“PDP”という)および電界発光(Electro−luminescence：以下“EL”という)表示装置などがある。
【０００３】
このような平板型表示装置において、PDPは、構造と製造工程が比較的に簡単であるため、大画面化に最も有利であるが、発光効率と輝度が低く消費電力が多い欠点がある。LCDは、半導体工程を利用するため大画面化に難点があるが、ノートブックコンピュータの表示装置として主に使用されて、需要が増加している。しかし、大画面化が難しく、バックライトユニットによる消費電力が大きい欠点がある。また、LCDは、偏光フィルター、プリズムシート、拡散板などの光学素子による大きな光損失と、視野角が狭い欠点がある。
【０００４】
一方、EL表示素子は、光放出層の材料により、無機EL素子と有機EL素子に大別され、そして、自発光素子である。上記表示装置と比較すると、応答速度が早く、発光効率と輝度および視野角が大きい長所がある。有機EL表示素子は、略10ボルトほどの電圧で数万[cd/m2]の高い輝度で画像を表示することができる。
【０００５】
図１は、従来の有機EL表示素子を概略的に示した断面図である。
有機EL表示素子は、図１の通り、ガラス基板１上に透明導電性物質からなる陽極２を形成し、その上に正孔注入層３、有機物質で成る発光層４、電子注入層５、および金属からなる陰極６が積層される。陽極２と陰極６との間に電界が印加されると、正孔注入層３内の正孔と電子注入層５内の電子は、それぞれ発光層４の方へ進行し、発光層４で結合する。これによって発光層４での電子と正孔の結合により、可視光が放出される。
【０００６】
図２は、従来の有機EL表示装置の駆動装置を示す回路図であり、図３は、図２に示された有機EL表示装置の有機発光ダイオードの動作原理を説明するための回路図である。また、図４は、図２に示す有機EL表示装置の駆動波形図である。
【０００７】
図２〜図４を参照すると、従来の有機ＥL表示装置の駆動装置は、有機発光ダイオード20の陽極に接続されたデータ電圧源Ｖdataと、有機発光ダイオード20の陰極に接続された第1スキャン電圧源Vin1および第2スキャン電圧源Vin2を備える。
【０００８】
データ電圧源Ｖdataは、有機EL表示装置のデータラインDL１〜DLmに正極性電圧を印加し、第1および第2スキャン電圧源Vin1、Vin２は、有機EL表示素子のスキャンラインSL1〜SLｎに負極性電圧および正極性電圧を印加する。
【０００９】
一般的に、有機EL表示装置の駆動装置は、データラインDL1〜DLmに正極性電圧を印加するデータ電圧源Ｖdataと、スキャンラインSL1〜SLｎに正極性電圧を印加する第2スキャン電圧源Vin２に、同一の電圧を印加する。スキャンラインSL1〜SLｎに負極性電圧を印加する第１スキャン電圧源Vin1には、接地電圧GNDが印加される。
【００１０】
また、有機発光ダイオード20の陽極と、データ電圧源Ｖdataの間に接続されたデータスイッチ素子21と、有機発光ダイオード20の陰極と第1スキャン電圧源Vin1および第2スキャン電圧源Vin2との間に、それぞれ接続された第1および第2スイッチ素子22，23を備える。
【００１１】
制御信号T1に応答して順次に第1スイッチ素子22がターン−オンされることにより、スキャンパルスSCANは、スキャンラインSL1〜SLｎに負極性電圧、即ち、順方向電圧で順次に印加される。データパルスDATAは、データラインDL1〜DLmに正極性電圧として加えられスキャンラインSL1〜SLｎに供給されるスキャンパルスSCANに同期する。
【００１２】
これを詳細に説明すると、制御信号T1に応答して、第１番目スキャンラインSL1に接続された第1スイッチ素子22がターン−オンされることにより、スキャンパルスSCANは、第１番目スキャンラインSL1に負極性電圧で印加される。同時に、データパルスDATAは、データラインDL1〜DLｍに、正極性電圧で印加される。第１番目スキャンラインSL1に負極性電圧が印加され、データラインDL1〜DLｍに正極性電圧が印加されるとき、第１番目ラインの有機発光ダイオード20は、正方向バイアスにより発光する。その後、スキャンパルスSCANは制御信号T２に応答して、第１番目スキャンラインSL1に接続された第2スイッチ素子23がターン−オンされることにより、第１番目スキャンラインSL1に正極性電圧が印加される。第１番目スキャンラインSL1に正極性電圧を印加する制御信号T2が印加されると同時に、第２番目スキャンラインSL2に負極性電圧を印加する制御信号T1が印加され、有機EL表示素子は、順次に発光しながら画像を表示するようになる。
【発明の開示】
【発明が解決しようとする課題】
【００１３】
図５は、図４に表示されたA領域を詳細に示した図面である。
図５を参照すると、スキャンパルスSCANが負極性電圧から正極性電圧にスイッチングされるとき、スキャンパルスSCANにはスイッチングによるオーバーシュート現象が現れるようになる。このようなオーバーシュート現象は、有機発光ダイオード20の劣化の原因になる。これは、特に図５に示された有機発光ダイオード20の陰極に印加される正極性電圧のレベルが大きいほど深刻に現れる。
【００１４】
もし、オーバーシュート現象を減少させるために、第2スキャン電圧源Vin2にデータ電圧源Ｖdataに比べて低い電圧を印加すると、有機発光ダイオード20の陽極に印加されるデータ電圧源Ｖdataの電圧が、有機発光ダイオード20の陰極に印加される第2スキャン電圧源Vin2の電圧より大きくなる。この場合、選択されたラインの有機発光ダイオード20だけでなく、有機EL表示装置の残りの有機発光ダイオード20が、順方向バイアスされることにより、全ての有機発光ダイオード20に電流が流れ、発光するようになる問題がある。
【００１５】
従って、本発明の目的は、有機電界発光表示装置の有機発光ダイオードの劣化を減少させることができる有機電界発光表示装置の駆動装置を提供することにある。
【課題を解決するための手段】
【００１６】
上記目的を達成するために、本発明の有機電界発光表示装置の駆動装置は、有機発光ダイオードと、該有機発光ダイオードの陽極にデータ信号を供給するためのデータ供給素子と、第１電圧を発生する第1電圧源と；前記第1電圧より高い第2電圧を発生する第2電圧源と、前記有機発光ダイオードの陰極に印加される前記第2電圧を安定化させるための電圧安定化素子と、前記第1および第2電圧を、前記有機発光ダイオードの陰極に選択的に供給する第1および第2スイッチ素子を備える。
【００１７】
前記装置において、前記第１電圧は、接地電圧であることを特徴とする。
【００１８】
前記装置において、電圧安定化素子はツェナーダイオードであり、該ツェナーダイオードは、前記第２電圧と前記有機発光ダイオードの陰極との間に、直列に接続されることを特徴とする。
【００１９】
ここで、前記ツェナーダイオードの降伏電圧は、前記有機発光ダイオードのスレッシュホールド（閾）電圧より小さいことを特徴とする。
【００２０】
前記有機発光ダイオードの陰極に印加される電圧は、前記第２電圧源から印加される電圧と前記ツェナーダイオードとの降伏電圧の差であることを特徴とする。
【００２１】
前記電圧安定化素子は、キャパシターであり、該キャパシターは、前記第２電圧源と前記有機発光ダイオードの陰極の間に、並列に接続されることを特徴とする。
【００２２】
前記有機発光ダイオードの陰極に印加される電圧は、前記有機発光ダイオードの陽極に印加される電圧と同一レベルの電圧であることを特徴とする。
【００２３】
さらに、前記電圧安定化素子は、ツェナーダイオードとキャパシターであり、前記ツェナーダイオードは前記第２電圧源と前記有機発光ダイオードの陰極の間に直列に接続され、前記キャパシターは前記ツェナーダイオードと前記有機発光ダイオードの陰極の間に並列に接続されることを特徴とする。
【００２４】
前記ツェナーダイオードの降伏電圧は、前記有機発光ダイオードの閾電圧より小さいことを特徴とする。
【００２５】
前記有機発光ダイオードの陰極に印加される電圧は、前記第2電圧源から印加される電圧と前記ツェナーダイオードとの降伏電圧の差であることを特徴とする。
【発明の効果】
【００２６】
本発明の有機EL表示装置の駆動装置は、第2スキャン電圧源と第2スイッチ素子との間に直列に接続されたツェナーダイオード、または第2スキャン電圧源とツェナーダイオードとの間に並列に接続されたキャパシターのうち、少なくともいずれ一つを具備する。
【００２７】
キャパシターは、有機発光ダイオードの陽極から陰極に印加される電圧を短時間に充電することにより、出力端の電圧を安定化させてオーバーシュート現象を減少させる。また、ツェナーダイオードは、スキャンパルスが負極性電圧から正極性電圧にスイッチングされるとき、有機発光ダイオードの陰極に印加される正極性電圧を、従来に比べて低い電圧で印加されるようにしてオーバーシュート現象を減少させる。これによって、有機発光ダイオードの劣化を減少させることができる。
【発明を実施するための最良の形態】
【００２８】
以下、図６〜図14を参照して本発明の望ましい実施形態について説明する。
図６は本発明の第1実施形態による有機El表示装置の駆動装置を示した回路図である。図６を参照すると、本発明の第1実施形態による有機EL表示装置の駆動装置は、有機発光ダイオード40の陽極に接続されたデータ電圧源Ｖdataと、有機発光ダイオード40の陰極に接続された第1スキャン電圧源Vin1および第2スキャン電圧源Vin２を備える。
【００２９】
データ電圧Ｖdataは、有機発光ダイオード40の陽極に接続されたデータラインDL１〜DLmに、正極性電圧を印加し、第1および第2スキャン電圧源Vin1〜Vin2は、有機発光ダイオード40の陰極に接続されたスキャンラインSL1〜SLnに、負極性電圧および正極性電圧を印加する。
【００３０】
また、有機発光ダイオード40の陽極とデータ電圧源Ｖdataの間に接続されたデータスイッチ素子41と、有機発光ダイオード40の陰極と第1および第2スキャン電圧源Vin1，Vin2との間に、それぞれ接続された第1および第2スイッチ素子42，43を備え、第2スキャン電圧源Vin2と第２スイッチ素子43との間に、並列に接続されるキャパシターCを備える。
【００３１】
キャパシターCは、スキャンラインSL1〜SLnに印加されるスキャンパルスSCANが負極性から正極性にスイッチングされるとき、有機発光ダイオード40の陽極から陰極に印加される電圧を短時間に充電することにより、出力端の電圧を安定化させてオーバーシュート現象を減少させる役割をする。
【００３２】
図７は、図６に示された有機EL表示装置の有機発光ダイオードの動作原理を説明するための回路図であり、図８は、図６に示された有機EL表示装置の駆動波形図である。また、図９は、図８に表示されたB領域を詳細に示した図面である。
【００３３】
図７〜図９を参照すると、制御信号T1に応答して順次に第１スイッチ素子42がターン−オンされることにより、スキャンパルスSCANは、スキャンラインSL1〜SLｎに負極性電圧，即ち、順方向電圧で順次、印加される。データパルスDATAは、スキャンライSL1〜SLｎに印加されるスキャンパルスSCANに同期して、データラインらDL1〜DLｎに正極性電圧で印加される。
【００３４】
これについて詳細に説明すると、制御信号T1に応答して、第１番目スキャンラインSL1に接続された第1スイッチ素子42がターン−オンされることにより、スキャンパルスSCANは、第１番目スキャンラインSL1に負極性電圧で印加される。データパルスDATAは、スキャンパルスSCANに同期して、データラインDL1〜DLｍに正極性電圧で印加される。第１番目スキャンラインSL１に負極性電圧が印加され、データラインDL1〜DLｍに正極性電圧が印加されるとき、第１番目ラインの有機発光ダイオード40は、正方向バイアスにより発光させるように電流が流れる。
【００３５】
その後、制御信号T2に応答して第１番目スキャンラインSL1に接続された第２スイッチ素子43がターン−オンされることにより、スキャンパルスSCANは、第１番目スキャンラインSL1に正極性電圧として印加される。第１番目スキャンラインSL1に正極性電圧を印加する制御信号T2が印加されると同時に、第２番目スキャンラインSL2には負極性電圧を印加する制御信号T1が印加されて、有機EL表示素子は、順次に発光しながら画像を表示するようになる。
【００３６】
スキャンラインSL1〜SLｎに印加されるスキャンパルスSCANが、負極性電圧から正極性電圧にスイッチングされるとき、スキャンパルスSCANには、スイッチングによるオーバーシュート現象が現れるようになる。
このようなスキャンラインSL1〜SLｎに現れるオーバーシュート現象は、第２スキャン電圧源Vin2と第２スイッチ素子43との間に、並列に接続されたキャパシターCにより減少させることができる。
【００３７】
キャパシターCは、スキャンラインSL１〜SLnに印加されるスキャンパルスSCANが負極性から正極性にスイッチングされるとき、有機発光ダイオード40の陽極から陰極に印加される電圧を短時間に充電することにより、出力端の電圧を安定化させて、図９に示されるように、オーバーシュート現象を減少させる。
【００３８】
図10は、本発明の第2実施形態による有機EL表示装置の駆動装置を示した回路図である。図10を参照すると、本発明の第2実施形態による有機EL表示装置の駆動装置は、図６に示された本発明の第1実施形態と比較して、第2電圧源Vin2と第2スイッチ素子43との間に、並列に接続されたキャパシターCの代わりに、第2電圧源Vin2と第2スイッチ素子43との間に直列に接続されたツェナーダイオード45を備える。
【００３９】
ツェナーダイオード45は、有機発光ダイオード40の陰極に印加される第2スキャン電圧源Vin2の電圧を一定の電圧に制限して、オーバーシュート現象を減少させる役割をする。
【００４０】
図11は、図10に示された有機EL表示素子の有機発光ダイオードの動作原理を説明するための回路図であり、図12は、図10に示された有機EL表示素子の駆動波形図である。
図11と図12を参照すると、制御信号T1に応答して、順次に第1スイッチ素子42がターン−オンされることにより、スキャンパルスSCANは、スキャンラインらSL1〜SLｎに負極性電圧、即ち、順方向電圧で順次に印加される。データパルスDATAは、スキャンラインSL1〜SLｎに印加されるスキャンパルスSCANに同期して、テータラインDL1〜DLｍに正極性電圧で印加される。
【００４１】
スキャンラインSL1〜SLｎに印加されるスキャンパルスSCANが、負極性電圧から正極性電圧にスイッチングされるとき、スキャンパルスSCANには、スイッチングによるオーバーシュート現象が現れるようになる。
【００４２】
このようなスキャンラインSL1〜SLｎに現れるオーバーシュートは、第2スキャン電圧源Vin2と第2スイッチ素子43との間に、直列に接続されたツェナーダイオード45により減少させることができる。
ツェナーダイオード45は、有機発光ダイオード40の陰極に印加される第2スキャン電圧源Vin2の電圧を、一定の電圧に制限するための定電圧源として動作する。
【００４３】
言いかえれば、スキャンパルスSCANが負極性電圧から正極性電圧にスイッチングされるとき、スキャンラインSL1〜SLｎに印加される正極性電圧Ｖhighは、第2電圧源Vin2から印加される正極性電圧とツェナーダイオード45の降伏電圧Vzとの差になる。
これを数式で表現すると次の通りである。
Ｖhigh＝Ｖin2−｜Ｖz｜
これによって、スキャンパルスＳＣＡＮが負極性電圧から正極性電圧にスイッチングされるとき、有機発光ダイオード40の陰極に印加される正極性電圧Ｖhighは、従来に比べて低い電圧を有するようになり、これによってオーバーシュート現象は減るようになる。
この際、ツェナーダイオード45の降伏電圧ＶＺは、有機発光ダイオード40の閾電圧
Ｖthより小さくなりなければならない。
【００４４】
若し、制御ダイオード45の降伏電圧VZが、有機発光ダイオード40の閾電圧より大きいか、または同じであると、第2スイッチ素子43がターン−オンされたとき、有機発光ダイオード40の陽極のデータ電圧源Ｖdataから印加される電圧と有機発光ダイオード40の陰極に印加される正極性電圧Ｖhighの差は、有機発光ダイオード40の閾電圧Ｖthより大きくなる。これによって、有機発光ダイオード40に印加される電圧により、有機発光ダイオード40に順方向バイアスが印加され、有機発光ダイオード40が発光するように電流が流れる。
このような理由で、ツェナーダイオード45の降伏電圧Vzは、有機発光ダイオード40の閾電圧Vthより、小さくなりなければならない。
これを数式で表現すると次の通りである。
｜Ｖz｜  <  Ｖth
【００４５】
図13は、図12に表示されたＣ領域を詳細に示した図面である。
図13を参照すると、スキャンラインSL１〜SLnに印加される正極性電圧は、第2スキャン電圧源Ｖin2から印加される電圧とツェナーダイオード45の降伏電圧Ｖzとの差になり、これは有機発光ダイオード40の陰極に印加される正極性電圧の大きさを低めてオーバーシュート現象を減少させる。
【００４６】
図14は、本発明の第3実施形態による有機EL表示装置の駆動装置を示した回路図であり、図15は、図14に示された有機EL表示装置の有機発光ダイオードの動作原理を説明するための回路図である。
【００４７】
図14を参照すると、本発明の第３実施形態による有機EL表示装置の駆動装置は図６に示された本発明の第１実施形態と比較して、第２スキャン電圧源Ｖin2と第２スイッチ素子43との間に直列に接続されたツェナーダイオード45と、第２スキャン電圧源Ｖin2とツェナーダイオード45との間に、並列に接続されたキャパシターCを備える。
【００４８】
ツェナーダイオード45は、有機発光ダイオード40の陰極に印加される第２スキャン電圧源Ｖin2の電圧を、一定の電圧に制限してオーバーシュート現象を減少させる役割をする。
【００４９】
また、キャパシターCは、スキャンラインSL1〜SLｎに印加されるスキャンパルスSCANが、負極性から正極性にスイッチングされるとき、有機発光ダイオード40の陽極から陰極に印加される電圧を、短時間に充電することにより、出力端の電圧を安定化させてオーバーシュート現象を減少させる役割をする。
【００５０】
図15を参照すると、スキャンラインSL1〜SLnに印加されるスキャンパルスSCANが、負極性電圧から正極性電圧にスイッチングされるとき、スキャンパルスSCANにはスイッチングによるオーバーシュート現象が現れるようになる。
【００５１】
このようなスキャンラインSL1〜SLｎに現れるオーバーシュート現象は、第２スキャン電圧源Ｖin2と第２スイッチ素子43との間に、直列に接続されたツェナーダイオード45により減少させることができる。また、第２電圧源Ｖin2とツェナーダイオード45との間に、並列に接続されたキャパシターCにより一層減少させることができる。
【００５２】
ツェナーダイオード45は、有機発光ダイオード40の陰極に印加される第２スキャン電圧Ｖin2の電圧を、一定の電圧に制限するための定電圧源として動作する。
言いかえると、スキャンパルスSCANが負極性電圧から正極性電圧にスイッチングされるとき、スキャンラインSL１〜SLｎに印加される正極性電圧Ｖhighは、第2電圧源Ｖin2から印加される正極性電圧とツェナーダイオード25の降伏電圧Ｖzとの差になる。
これを数式で表現すると次の通りである。
Ｖhigh＝Ｖin2−｜Ｖz｜
これによって、スキャンパルスSCANが負極性電圧から正極性電圧にスイッチングされるとき、有機発光ダイオード40の陰極に印加される正極性電圧は、従来に比べて低い電圧を有するようになり、オーバーシュート現象は減少するようになる。
【００５３】
ツェナーダイオード45の降伏電圧ＶZは、前述の通り、有機発光ダイオード40の閾電圧Ｖthより小さくなりなければならない。
これを数式で表現すると次の通りである。
|Ｖｚ|  <  Ｖth
また、キャパシターＣは、スキャンラインSL1〜SLｎに印加される電圧が、負極性電圧から正極性電圧にスイッチングされるとき、有機発光ダイオード40の陽極から印加される電圧を短時間に充電することにより、出力端の電圧を安定化させてオーバーシュート現象を減少させる。
【００５４】
以上説明した内容により、この分野で通常の知識を有する者であれば、本発明の技術思想を脱しない範囲内で多様な変更および修正が可能であるのが分かるであろう。従って、本発明の技術的範囲は明細書の詳細な説明に記載された内容に限定されるのでなく、特許請求の範囲により定められるべきであろう。
【図面の簡単な説明】
【００５５】
【図１】図１は、従来の有機電界発光表示素子を概略的に示した断面図である。
【図２】図２は、従来の有機電界発光表示装置の駆動装置を示した回路図である。
【図３】図３は、図２に示された有機電界発光表示装置の有機発光ダイオードの動作原理を説明するための回路図である。
【図４】図４は、図２に示された有機電界発光表示装置の駆動波形図である。
【図５】図５は、図４のＡ部分を詳細に示した図面である。
【図６】図６は、本発明の第１実施形態による有機電界発光表示装置の駆動装置を示した回路図である。
【図７】図７は、図６に示された有機電界発光表示装置の有機発光ダイオードの動作原理を説明するための回路図である。
【図８】図８は、図６に示された有機電界発光表示装置の駆動波形図である。
【図９】図９は、図８に示されたＢ部分を詳細に示した図面である。
【図１０】図10は、本発明の第２実施形態による有機電界発光表示装置の駆動装置を示した回路図である。
【図１１】図11は、図10に示された有機電界発光表示装置の有機発光ダイオードの動作原理を説明するための回路図である。
【図１２】図12は、図10に示された有機電界発光表示装置の駆動波形図である。
【図１３】図13は、図12に示されたＣ部分を詳細に示した図面である。
【図１４】図14は、本発明の第３実施形態による有機電界発光表示装置の駆動装置を示した回路図である。
【図１５】図15は、図14に示された有機電界発光表示素子の有機発光ダイオードの動作原理を説明するための回路図である。
【符号の説明】
【００５６】
20，40；有機発光ダイオード                21，41：データスイッチ素子
22，42：第1スイッチ素子                  23，43：第2スイッチ素子
25，45：ツェナーダイオード
【図１】
2006106666.tif 000003
【図２】
2006106666.tif 000004
【図３】
2006106666.tif 000005
【図４】
2006106666.tif 000006
【図５】
2006106666.tif 000007
【図６】
2006106666.tif 000008
【図７】
2006106666.tif 000009
【図８】
2006106666.tif 000010
【図９】
2006106666.tif 000011
【図１０】
2006106666.tif 000012
【図１１】
2006106666.tif 000013
【図１２】
2006106666.tif 000014
【図１３】
2006106666.tif 000015
【図１４】
2006106666.tif 000016
【図１５】
2006106666.tif 000017